(57)【特許請求の範囲】
【請求項１】
水力発電所の導水路内に設置された圧力式水位計の校正を支援するために前記導水路に取水された水の水位を計測する校正支援装置であって、
縦に長い形状の共通電極と、予め決められた一定の間隔で前記共通電極と並列に縦方向に配列された複数個の個別電極とを基体に備え、前記共通電極の長手方向及び前記個別電極の配列方向を鉛直方向に向けてこれらの共通電極と個別電極とが前記導水路内を流れる水に浸かる位置に設置されるセンサと、
前記個別電極に対応する個数分だけ設けられて直流電圧の印加によって点灯する複数個の表示灯と、
前記共通電極とすべての前記表示灯とを直流電源回路を介して導通接続する共通電極線と、
前記個別電極と前記表示灯とを一対一の関係で導通接続する個別電極線と、
前記導水路内を流れる水に浸かった前記個別電極が接続している前記表示灯の点灯によって水位を視覚的に表現する水位表示手段と、
を備えることを特徴とする圧力式水位計の校正支援装置。
【請求項２】
前記水位表示手段は、前記表示灯を前記個別電極と同一間隔で鉛直に配列することによって水位を視覚的に表現する、
ことを特徴とする請求項１に記載の圧力式水位計の校正支援装置。
【請求項３】
前記水位表示手段は、基準となる前記個別電極からの個々の前記個別電極の離間距離を当該個々の個別電極に接続された前記表示灯に表記することによって水位を視覚的に表現する、
ことを特徴とする請求項１又は２に記載の圧力式水位計の校正支援装置。
【請求項４】
前記水位表示手段は、個々の前記個別電極に付した一意の識別称呼と同一の記号を対応する前記表示灯に表記することによって水位を視覚的に表現する、
ことを特徴とする請求項１ないし３のいずれか一に記載の圧力式水位計の校正支援装置。
【請求項５】
前記個別電極に付した一意の識別称呼は、一端側の前記個別電極から他端側の前記個別電極に向けた順番の概念を観念させる記号である、
ことを特徴とする請求項４に記載の圧力式水位計の校正支援装置。
【請求項６】
水力発電所の導水路内に設置された圧力式水位計の校正を支援するために前記導水路に取水された水の水位を計測する校正支援方法であって、
縦に長い形状の共通電極と、予め決められた一定の間隔で前記共通電極と並列に縦方向に配列された複数個の個別電極とを基体に備えるセンサを、前記共通電極の長手方向及び前記個別電極の配列方向を鉛直方向に向けてこれらの共通電極と個別電極とが前記導水路内を流れる水に浸かる位置に設置する設置工程と、
前記個別電極に対応する個数分だけ設けられて直流電圧の印加によって点灯する複数個の表示灯に対して、直流電源回路を介して前記共通電極を導通接続し、前記個別電極線を一対一の関係で導通接続する接続工程と、
前記導水路内を流れる水に浸かった前記個別電極が接続している前記表示灯の点灯によって水位を視覚的に表現する水位表示工程と、
を備えることを特徴とする圧力式水位計の校正支援方法。
【請求項７】
前記水位表示工程は、前記表示灯を前記個別電極と同一間隔で鉛直に配列することによって水位を視覚的に表現する、
ことを特徴とする請求項６に記載の圧力式水位計の校正支援方法。
【請求項８】
前記水位表示工程は、基準となる前記個別電極からの個々の前記個別電極の離間距離を当該個々の個別電極に接続された前記表示灯に表記することによって水位を視覚的に表現する、
ことを特徴とする請求項６又は７に記載の圧力式水位計の校正支援方法。
【請求項９】
前記水位表示工程は、個々の前記個別電極に付した一意の識別称呼と同一の記号を対応する前記表示灯に表記することによって水位を視覚的に表現する、
ことを特徴とする請求項６ないし８のいずれか一に記載の圧力式水位計の校正支援方法。
【請求項１０】
前記個別電極に付した一意の識別称呼は、一端側の前記個別電極から他端側の前記個別電極に向けた順番の概念を観念させる記号である、
ことを特徴とする請求項９に記載の圧力式水位計の校正支援方法。
【請求項１１】
前記設置工程は、状況に応じて異なる前記導水路内の複数種類の水位に適合する複数の高さ位置に複数個の前記センサを設置する、
ことを特徴とする請求項６ないし１０のいずれか一に記載の圧力式水位計の校正支援方法。
【発明の詳細な説明】
【技術分野】
【０００１】
本発明は、水力発電所の導水路内の水位を計測する圧力式水位計の計測値の校正を支援するための校正支援装置及び校正支援方法に関する。
【背景技術】
【０００２】
水力発電所では、河川や湖などに取水口を設けて取水している。あるいはより効率よく取水するためにダムや取水堰を建設して大量に溜められた水を取水している。取水口から取水した水は導水路に導水して発電用の水車まで導き、ここで発電に使用する。発電に使用した水は下流の河川などに放流している。
【０００３】
取水口から取水する場合、最大取水量が予め決められている。このため取水する水の量を調節する必要がある。取水量の調節は取水口に設置したゲートによって行なう。つまり導水路内の水位を計測し、この計測値に基づいて自動制御盤がゲートの開度を決めるわけである。自動制御盤は最大取水量を超えないようにゲートの開度を制御する。特許文献１はこのようなゲートの開度制御について言及している（特許文献１の段落０００２〜０００４参照）。
【０００４】
ところで導水路の入口付近はゲートの影響で水位が安定しない。このため導水路の入口からある程度奥、例えば１００ｍ程度奥の位置で水位を検出している。ただこの位置は山間部にあることが多いため、縦穴を掘って水位を直接観測することが困難である。そこで従来、次の二つの方式のいずれかによって導水路内の水位を検出するのが一般的である。
【０００５】
一つは導水菅方式である。導水路の入口から約１００ｍ地点まで配管を延ばし、その水位を導水路の入口で観察する方法である。
【０００６】
もう一つは圧力式水位計方式である。導水路の入口から約１００ｍ地点の水路底部に圧力式水位計（圧力センサ）を設置し、その出力を導水路の入口を経て外部で取り込み、取り込んだ圧力式水位計の出力値に基づいて水位を推定する方式である。
【０００７】
導水菅方式によれば、水位が安定している導水路の入口から１００ｍ程度奥に入った部分の水位を導水路の入口で直接確かめることができる。このため導水管を流れる水の水位を精度よく知ることができるという利点を有する。その反面、配管設備を設置しなければならないために設備が大掛かりになって建造コストが高くつく。このため比較的設備コストを低価格に抑えることができる圧力式水位計方式が広く採用されている。
【先行技術文献】
【特許文献】
【０００８】
【特許文献１】特開２０１０−２７５８２５号公報
【発明の概要】
【発明が解決しようとする課題】
【０００９】
設備コストの問題から広く採用されている圧力式水位計方式であるが、問題がないわけではない。一番の問題は圧力式水位計の計測精度を検証する手立てがないことである。
【００１０】
この出願の発明者がこの問題に気がついたきっかけは、圧力式水位方式を採用した二系統の水位検出系を設置した設備において、それぞれの系の計測値に誤差が発生したことである。この場合に想定される可能性は、
（１）何れか一方の系の検出値が正しくて他方の系の検出値が間違っている
（２）いずれの系の検出値も共に間違っている
の何れかであるのは間違いない。
【００１１】
ところがこれらの二つの可能性のうちどちらの状況が生じているのかは不明である。圧力式水位計を設置した場所での本当の水位を知る手立てがないからである。となると既設か新設かを問わず、圧力式水位計から得られる計測値の信憑性そのものが疑わしく、信頼を置くことができなくなってしまう。深刻な問題である。
【００１２】
ところで先に説明した二系統の検出系の間に発生した誤差は約１００ｍｍであった。この程度の誤差が問題になるのかという疑問が生ずるかもしれない。ところが１０ｍｍ単位での管理が必要になる場面も現実にあり、１００ｍｍもの誤差は到底容認できない。
【００１３】
本発明はこのような点に鑑みなされたもので、導水路の奥に設置した圧力式水位計の計測値を簡易な装置及び方法によって精度よく検証できるようにすることを目的とする。
【課題を解決するための手段】
【００１４】
本発明は、水力発電所の導水路内に設置された圧力式水位計の校正を支援するために前記導水路に取水された水の水位を計測する校正支援装置であって、縦に長い形状の共通電極と、予め決められた一定の間隔で前記共通電極と並列に縦方向に配列された複数個の個別電極とを基体に備え、前記共通電極の長手方向及び前記個別電極の配列方向を鉛直方向に向けてこれらの共通電極と個別電極とが前記導水路内を流れる水に浸かる位置に設置されるセンサと、前記個別電極に対応する個数分だけ設けられて直流電圧の印加によって点灯する複数個の表示灯と、前記共通電極とすべての前記表示灯とを直流電源回路を介して導通接続する共通電極線と、前記個別電極と前記表示灯とを一対一の関係で導通接続する個別電極線と、前記導水路内を流れる水に浸かった前記個別電極が接続している前記表示灯の点灯によって水位を視覚的に表現する水位表示手段と、を備えることによって上記課題を解決した。
【００１５】
本発明は、水力発電所の導水路内に設置された圧力式水位計の校正を支援するために前記導水路に取水された水の水位を計測する校正支援方法であって、縦に長い形状の共通電極と、予め決められた一定の間隔で前記共通電極と並列に縦方向に配列された複数個の個別電極とを基体に備えるセンサを、前記共通電極の長手方向及び前記個別電極の配列方向を鉛直方向に向けてこれらの共通電極と個別電極とが前記導水路内を流れる水に浸かる位置に設置する設置工程と、前記個別電極に対応する個数分だけ設けられて直流電圧の印加によって点灯する複数個の表示灯に対して、直流電源回路を介して前記共通電極を導通接続し、前記個別電極線を一対一の関係で導通接続する接続工程と、前記導水路内を流れる水に浸かった前記個別電極が接続している前記表示灯の点灯によって水位を視覚的に表現する水位表示工程と、を備えることによって上記課題を解決した。
【発明の効果】
【００１６】
本発明によれば、導水路内の水位を個別電極の配列間隔の計測精度で表示灯の点灯によって確実に示すことができるので、既設の圧力式水位計の計測値を簡易な装置及び方法によって精度よく検証することができ、したがってその圧力式水位計の校正に資することができる。
【図面の簡単な説明】
【００１７】
【図１】第１の実施の形態として、取水口の周辺とその辺りから導水路を１００ｍ程度奥に入った辺りまでの様子を示す模式図。
【図２】（ａ）はセンサ、（ｂ）は表示器をそれぞれ示す正面図。
【図３】センサと表示器との電気的接続を示す回路図。
【図４】第２の実施の形態として、（ａ）はセンサ、（ｂ）は表示器をそれぞれ示す正面図。
【図５】第３の実施の形態として、（ａ）はセンサ、（ｂ）は表示器をそれぞれ示す正面図。
【図６】第４の実施の形態として、（ａ）はセンサ、（ｂ）は表示器をそれぞれ示す正面図。
【図７】第５の実施の形態として、取水口の周辺とその辺りから導水路を１００ｍ程度奥に入った辺りまでの様子を示す模式図。
【発明を実施するための形態】
【００１８】
実施の形態を図面に基づいて説明する。本実施の形態は、河川１から取水した水を導水路１１に導水する水力発電所の導水設備３１に用いられる圧力式水位計５１の校正を支援するための装置及び方法である。第１〜第５までの五つの実施の形態を紹介する。
【００１９】
≪第１の実施の形態≫
第１の実施の形態を図１ないし図３に基づいて説明する。
【００２０】
図１に示すように、導水設備３１は取水口３２に位置させてゲート３３を備えている。ゲート３３は、制御室３４に設置された自動制御装置（図示せず）が駆動制御するモータ３５に駆動されて上下動し、これによって取水量を調節する。自動制御装置は、圧力式水位計５１の出力を取り込んで導水路１１を流れる水の水位を判定し、これを取水口３２での取水量に変換してゲート３３の開度を決定する。
【００２１】
圧力式水位計５１は導水路１１の底に設置した圧力センサであり、導水路１１の入口付近ＩＰから１００ｍ程度奥に入った場所に設置されている。図１に例示するように導水路１１の入口付近ＩＰはゲート３３の影響で水の流れが乱れて水位が安定しないからである。
【００２２】
ところで圧力式水位計５１は然程検出精度が高くないものと推察される。この点については「発明が解決しようとする課題」の項で説明したとおりである。そこで本実施の形態の取水設備では圧力式水位計５１の校正支援装置を設置している。校正支援装置は、センサ１０１と表示器２０１とを配線回路１５１で接続したものである。
【００２３】
図２（ａ）に示すように、センサ１０１は細長い矩形形状の基体１１１に共通電極１３１と個別電極１３２とを配列している。共通電極１３１は基体１１１の長手方向に沿って配列された細長い形状の単一物である。これに対して個別電極１３２は複数個設けられ、共通電極１３１に沿って配列されている。個別電極１３２の配列間隔は予め決められた一定の間隔、例えば１０ｍｍ毎の間隔に定められている。
【００２４】
このような構造のセンサ１０１は圧力式水位計５１の近く、つまり導水路１１の入口付近ＩＰから１００ｍ程度奥に入った場所に設置されている。このときセンサ１０１は、共通電極１３１の長手方向と個別電極１３２の配列方向とが共に鉛直方向を向くように設置される。設置高さも重要である。導水路１１内の水位は通常１０００〜２０００ｍｍ程度となっている。そこでセンサ１０１は、導水路１１内が通常の水位となっている場合に共通電極１３１と個別電極１３２との一部、例えば半分程度の部分が水に浸かる位置に位置決めされている。
【００２５】
このようにセンサ１０１を設置することで、共通電極１３１の長手方向及び個別電極１３２の配列方向を鉛直方向に向けてこれらの共通電極１３１と個別電極１３２とが導水路１１内を流れる水に浸かる位置に設置する設置工程が実行される。
【００２６】
図２（ｂ）に示すように、表示器２０１は矩形形状をしたハウジング２１１の表面に複数個の表示灯２３１を一列に配列した構造のものである。表示灯２３１は例えばＬＥＤなどの直流電圧を印加すると点灯するランプであり、センサ１０１の個別電極１３２と同じ数だけ設けられている。図１に示すように表示器２０１は制御室３４に設置されている。
【００２７】
図３に示すように、配線回路１５１は共通電極１３１とすべての表示灯２３１とを共通電極線１５２によって導通接続している。共通電極線１５２は直流電源ＰＳを供給可能な直流電源回路１７１を介在接続している。配線回路１５１はまた、複数個設けた個別電極１３２と表示灯２３１とを複数本の個別電極線１５３によって一対一の関係で導通接続している。例えば個別電極１３２が３０個設けられている場合には表示灯２３１も３０個設けられ、これらの個別電極１３２と表示灯２３１とを３０本の個別電極１３２で接続することになる。このような共通電極線１５２と個別電極線１５３とは、例えば多芯線を用いれば一本にまとめることができる。個別電極１３２及び表示灯２３１の個数が３０個であるならば、共通電極線１５２の１本と合わせて３１芯以上の多芯線を用いればよい。
【００２８】
このように各部を電気的に接続することで、表示灯２３１に対して直流電源回路１７１を介して共通電極１３１を導通接続し、個別電極線１５３を一対一の関係で導通接続する接続工程が実行される。
【００２９】
ところで配線回路１５１は、共通電極１３１と個別電極１３２とが導通した場合、その導通した個別電極１３２に接続している表示灯２３１に直流電源ＰＳから電圧を印加し、これによってその表示灯２３１を点灯させる。このとき共通電極１３１と個別電極１３２と導通させる媒体として用いるのが導水路１１内の水である。つまり本実施の形態の装置は、導水路１１内の水に浸かっている個別電極１３２に接続する表示灯２３１を点灯させ、この点灯をもって導水路１１内の水位を示すわけである。このため二つのことが重要になる。
【００３０】
一つはセンサ１０１の設置高さである。前述したとおりセンサ１０１は、共通電極１３１と個別電極１３２との半分程度が水に浸かる高さに設置される。例えば導水路１１を流れる水の通常の水位（以下、標準水位と呼ぶ）が１０００ｍｍであると仮定した場合、真ん中に位置する個別電極１３２が１０００ｍｍの高さに位置付けられるようにセンサ１０１を設置することになる。
【００３１】
具体例を挙げて説明する。図２（ａ）、（ｂ）に示すように、本実施の形態のセンサ１０１は３０個の個別電極１３２を備えている。図２（ｂ）に示す表示灯２３１の数を参照されたい。そこで本実施の形態では、上から１５個目の個別電極１３２と下から１５個目の個別電極１３２との中間部分が１０００ｍｍの高さになるようにセンサ１０１を設置する。したがって導水路１１内の水位が１０００ｍｍ丁度であるならば、上から１５個目までの個別電極１３２は水に浸からず、下から１５個目までの個別電極１３２は水没して水に浸かることになる。
【００３２】
もう一つ重要なことは、表示器２０１において、導水路１１内を流れる水に浸かった個別電極１３２に接続している表示灯２３１の点灯によって水位を視覚的に表現することである。本実施の形態ではこれを実現する手段（工程）を水位表示手段２５１（水位表示工程）と観念し、表示灯２３１を個別電極１３２と同一間隔で鉛直に配列することによってこれを実現している。
【００３３】
水位表示手段２５１は目印として表示灯２３１の中間部分、つまり上から１５個目の表示灯２３１と下から１５個目の表示灯２３１との中間部分に基準線２５１ａを付している。基準線２５１ａは表示器２０１のハウジング２１１の表面に記されている。
【００３４】
具体例を挙げて説明する。先に述べたとおり、導水路１１内の水位が１０００ｍｍ丁度の標準水位であるならば、センサ１０１において上から１５個目までの個別電極１３２は水に浸からず、下から１５個目までの個別電極１３２は水没して水に浸かる。このため表示器２０１において上から１５個目までの表示灯２３１は点灯せず、下から１５個目までの表示灯２３１は点灯する。したがって表示器２０１を見たとき、基準線２５１ａを境として表示灯２３１の上半分が消灯して下半分が点灯した状態である。この状態から、導水路１１内の水位は１０００ｍｍ丁度の標準水位であることが一目瞭然である。
【００３５】
この時、導水路１１内の水位が２０ｍｍ上がったと仮定する。すると下から１６個目と１７個目の個別電極１３２が水没して水に浸かるため、これに対応して下から１７番目までの表示灯２３１がすべて点灯する。上下の消灯点灯のバランスが崩れるわけである。これによって導水路１１内の水位が１０００ｍｍ丁度の標準水位から上昇方向に変動したことが分かる。しかも１７番目の表示灯２３１は１５番目の表示灯２３１の２０ｍｍ上に配置されているので、導水路１１内の水位が標準水位から２０ｍｍ上昇したこと、つまり水位が１０２０ｍｍとなったことが視覚的に表現される。
【００３６】
このように本実施の形態によれば、導水路１１内の水位を個別電極１３２の配列間隔の計測精度で表示灯２３１の点灯によって確実に示すことができる。このため既設の圧力式水位計５１の計測値を精度よく検証することが可能である。例えば圧力式水位計５１により計測された水位が１０５０ｍｍである際、表示器２０１において例えば下から１４個目までの表示灯２３１が点灯していたと仮定すると、実際の水位は９８０ｍｍである。このため圧力式水位計５１に＋７０ｍｍの誤差が発生していることが分かる。そこでこの検証結果を圧力式水位計５１の計測値を校正するための資料として用い、圧力式水位計５１の計測値を−７０ｍｍとするように校正することが可能となる。この場合の校正は零点校正である。
【００３７】
本実施の形態はまた、表示灯２３１を個別電極１３２と同一間隔に配列することによって水位表示手段２５１を実現している。これにより、導水路１１内の水位の変動を現実の変動幅と同じスケールで表示灯２３１の点灯として表現することができる。したがって導水路１１内の水位状況を鏡に映したかのような正確さで知らしめることが可能となる。
【００３８】
≪第２の実施の形態≫
第２の実施の形態を図４に基づいて説明する。第１の実施の形態と同一部分は同一符号で示し説明も省略する。
【００３９】
本実施の形態は、水位表示工程を実行する水位表示手段２５１の別の一例である。本実施の形態の水位表示手段２５１は、基準となる個別電極１３２、ここでは一番下に位置する個別電極１３２からの個々の個別電極１３２の離間距離を当該個々の個別電極１３２に接続された表示灯２３１を示す位置に表記している。つまり一番下に位置する個別電極１３２に接続された表示灯２３１には「０」を記す。そして「０」を記した表示灯２３１から上に行くに従って１０ｍｍ刻みの昇順で表示灯２３１に記す数値を増やしていく。こうして一番上に位置する個別電極１３２には「３０」の数字が記される。０から３０までの数値の単位はｃｍである。こうして本実施の形態では、導水路１１内の水位を０ｃｍから３０ｃｍまでの数値表記２５２によって視覚的に表現している。
【００４０】
具体例を用いて作用効果を説明する。
【００４１】
導水路１１内の水位が１０００ｍｍ丁度の標準水位であるならば、センサ１０１において上から１５個目までの個別電極１３２は水に浸からず、下から１５個目までの個別電極１３２は水没して水に浸かることは先に述べたとおりである。このため表示器２０１において上から１５個目までの表示灯２３１は点灯せず、下から１５個目までの表示灯２３１は点灯する。そこで本実施の形態では、「１５」ｃｍの数値表記２５２がなされている上から１５個目の表示灯２３１と「１４」ｃｍの数値表記２５２がなされている下から１５個目の表示灯２３１との間の位置が標準水位（水位１０００ｍｍ）の位置となる。このため「１５」ｃｍ以上の数値表記２５２がなされている表示灯２３１がすべて消灯して「１４」ｃｍ以下の数値表記２５２がなされている表示灯２３１がすべて点灯している場合、導水路１１内の水位は標準水位の１０００ｍｍであることが分かる。
【００４２】
この時、導水路１１内の水位が２０ｍｍ上がったと仮定する。すると下から１６個目と１７個目の個別電極１３２が水没して水に浸かるため、これに対応して「１６」ｃｍ以下の数値表記２５２がなされている表示灯２３１がすべて点灯する。これによって導水路１１内の水位が１０００ｍｍ丁度の標準水位から２０ｍｍ上昇したことが分かる。
【００４３】
このように本実施の形態によれば、導水路１１内の水位が数値表記２５２として具体的な数値で示されるので一見してその把握が可能になり、導水路１１内の水位を正確に知ることができる。
【００４４】
なお、第１の実施の形態では表示灯２３１を個別電極１３２と同一間隔に配列することによって水位表示手段２５１を実現した。本実施の形態では数値表記２５２によって水位表示手段２５１を実現しているので、表示灯２３１を個別電極１３２と同一間隔に配列することは必ずしも必要ない。もっともこのような表示灯２３１の配列を妨げる理由はないため、第１の実施の形態と同様に表示灯２３１を個別電極１３２と同一間隔に配列してもよい。
【００４５】
≪第３の実施の形態≫
第３の実施の形態を図５に基づいて説明する。第１の実施の形態と同一部分は同一符号で示し説明も省略する。
【００４６】
本実施の形態は、水位表示工程を実行する水位表示手段２５１の更に別の一例である。本実施の形態の水位表示手段２５１は、個々の個別電極１３２に一意の識別称呼を付しておき、個々の個別電極１３２に付した識別称呼と同一の記号を対応する表示灯２３１に表記することによって水位を視覚的に表現するようにした。つまり個別電極１３２に付するのは個々の個別電極１３２を識別し得る呼び名であり、観念的なものである。勿論、個々の個別電極１３２にその称呼となる記号を外形的に表記することは差し支えない。これに対して、表示灯２３１には対応する個別電極１３２、つまり個別電極線１５３によって接続されている個別電極線１５３の識別称呼と同一の符号を視覚的に認識できるように外形上明瞭な形で表記する。こうして表記した記号をここでは識別表記２５３と呼ぶ。
【００４７】
この場合、個別電極１３２に付した一意の識別称呼には、一端側の個別電極１３２から他端側の個別電極１３２に向けて順番の概念を観念させる記号が選ばれて付されている。より詳細には、個別電極１３２には「Ａ−１」から「Ａ−３０」までの記号を一意の識別称呼として付している。一番下に位置する個別電極１３２は「Ａ−１」、一番上に位置する個別電極１３２は「Ａ−３０」としている。そして個々の個別電極１３２に対応する表示灯２３１、つまり個別電極線１５３で導通接続された表示灯２３１にはその隣接位置に個別電極１３２に付した識別称呼と同一の記号が識別表記２５３として記される。つまり「Ａ−１」の識別称呼が付された個別電極１３２に接続する表示灯２３１には「Ａ−１」の識別表記２５３が記され、「Ａ−１０」の識別称呼が付された個別電極１３２に接続する表示灯２３１には「Ａ−１０」の識別表記２５３が記され、「Ａ−３０」の識別称呼が付された個別電極１３２に接続する表示灯２３１には「Ａ−３０」の識別表記２５３が記されるという具合である。
【００４８】
具体例を用いて作用効果を説明する。
【００４９】
導水路１１内の水位が１０００ｍｍ丁度の標準水位であるならば、センサ１０１において上から１５個目までの個別電極１３２は水に浸からず、下から１５個目までの個別電極１３２は水没して水に浸かることは先に述べたとおりである。このため表示器２０１において上から１５個目までの表示灯２３１は点灯せず、下から１５個目までの表示灯２３１は点灯する。そこで本実施の形態では、「Ａ−１６」の識別表記２５３が記されている上から１５個目の表示灯２３１と「Ａ−１５」の識別表記２５３が記されている下から１５個目の表示灯２３１との間の位置が標準水位（水位１０００ｍｍ）の位置となる。このため「Ａ−１６」以上の識別表記２５３が記されている表示灯２３１がすべて消灯して「Ａ−１５」以下の識別表記２５３が記されている表示灯２３１がすべて点灯している場合、導水路１１内の水位は標準水位の１０００ｍｍであることが分かる。
【００５０】
この時、導水路１１内の水位が２０ｍｍ上がったと仮定する。すると下から１６個目と１７個目の個別電極１３２が水没して水に浸かるため、これに対応して「Ａ−１７」以下の識別表記２５３が記されている表示灯２３１がすべて点灯する。これによって導水路１１内の水位が１０００ｍｍ丁度の標準水位から２０ｍｍ上昇したことが分かる。
【００５１】
このように本実施の形態によれば、点灯している表示灯２３１に記されている識別表記２５３を見るだけでどの個別電極１３２まで水没しているのかが分かり、これによって導水路１１内の水位を正確に知ることができる。
【００５２】
なお、第１の実施の形態では表示灯２３１を個別電極１３２と同一間隔に配列することによって水位表示手段２５１を実現した。本実施の形態では識別表記２５３によって水位表示手段２５１を実現しているので、表示灯２３１を個別電極１３２と同一間隔に配列することは必ずしも必要ない。もっともこのような表示灯２３１の配列を妨げる理由はないため、第１の実施の形態と同様に表示灯２３１を個別電極１３２と同一間隔に配列してもよい。
【００５３】
≪第４の実施の形態≫
第４の実施の形態を図６に基づいて説明する。第１〜第３の実施の形態と同一部分は同一符号で示し説明も省略する。
【００５４】
本実施の形態は、個々の表示灯２３１に第２の実施の形態の数値表記２５２と第３の実施の形態の識別表記２５３とを共に記した。つまり第２の実施の形態と第３の実施の形態との組み合わせが本実施の形態である。数値表記２５２は右列、識別表記２５３は左列に記している。
【００５５】
≪第５の実施の形態≫
第５の実施の形態を図７に基づいて説明する。第１の実施の形態と同一部分は同一符号で示し説明も省略する。
【００５６】
先の実施の形態では、１０００ｍｍの水位を標準水位として例示した。これに対して状況に応じて標準水位が二種類以上になることがある。例えば通常の水位が１０００〜２０００ｍｍ程度の状態である場合と３０００〜４０００ｍｍ程度の状態である場合とが生じ得る。本実施の形態はこのような状況を考慮し、二種類の標準水位、例えば１０００ｍｍと３０００ｍｍの水位の位置にそれぞれセンサ１０１を配置し、それらのセンサ１０１に配線回路１５１を介して表示器２０１をそれぞれ接続したものである。
【００５７】
こうすることで標準水位１０００ｍｍのときと標準水位３０００ｍｍのときとにおける圧力式水位計５１の誤差を観察することができる。これにより導水路１１内の水位の高低に応じた誤差の傾きが分かるため、圧力式水位計５１の計測値に対して零点校正のみならず傾き校正もかけることが可能となる。
【００５８】
≪変形例≫
本実施の形態の装置及び方法は、各種の変形及び変更を許容する。
【００５９】
例えば第１の実施の形態において表示器２０１のハウジング２１１に記した基準線２５１ａは、線状に限らず他の形状のものであっても良い。またこの基準線２５１ａは必ずしも必須というわけではない。このため表示器２０１のハウジング２１１に基準線２５１ａを記さないようにしてもよい。もっとも基準線２５１ａを記すことで導水路１１内の水位を格段に分かり易く示すことが可能となる。
【００６０】
また、最上位位置の個別電極１３２と最下位置の個別電極１３２との中間部分を標準水位の位置に位置付けてセンサ１０１を設置しているのは単なる一例に過ぎず、より上方にずれた位置やより下方にずれた位置を標準水位の位置に位置付けてセンサ１０１を設置してもよい。
【００６１】
また第２の実施の形態において最下位置の表示灯２３１を「０」ｃｍとして表記したが、実施に際しては標準水位の位置を「０」ｃｍとして表記してもよい。
【００６２】
その他にも様々な変形や変更が許容されることは言うまでもない。
【符号の説明】
【００６３】
１１  導水路
５１  圧力式水位計
１０１  センサ
１１１  基体
１３１  共通電極
１３２  個別電極
２３１  表示灯
２５１  水位表示手段
１５２  共通電極線
１５３  個別電極線
ＰＳ  直流電源回路
【要約】
【課題】導水路の奥に設置した圧力式水位計の計測値を簡易な装置及び方法によって精度よく検証できるようにすること。
【解決手段】導水路内の圧力式水位計が設置されている付近に、縦長の共通電極１３１の隣に複数個の個別電極１３２を縦方向に並べて配列したセンサ１０１を設置し、個別電極１３２に一対一の関係で導通接続した表示灯２３１をすべて共通電極１３１に接続してその間に直流電源ＰＳを介在させ、共通電極１３１と水に浸かった個別電極１３２との間には電気が流れることを利用して、水に浸かった個別電極１３２に対応する表示灯２３１を点灯させるようにした。導水路内で水に浸かった個別電極１３２の位置が対応する表示灯２３１の点灯によって示されるので、点灯した表示灯２３１をもって導水路内の水位を正しく示すことができる。
【選択図】図３【図１】
0005409872.tif 000002
【図２】
0005409872.tif 000003
【図３】
0005409872.tif 000004
【図４】
0005409872.tif 000005
【図５】
0005409872.tif 000006
【図６】
0005409872.tif 000007
【図７】
0005409872.tif 000008